(57)【要約】【課題】天板に対して五徳を容易に且つ確実に取付けられるようにし、しかも汁受け皿の誤セットをも同時に発見できるガスコンロの五徳取付け構造を実現する。【解決手段】五徳４の下部に、固定ピン４３よりも下方に長く突出したガイドピン４４を固定ピン４３の内側に設ける。五徳セット時、ガイドピン４４が天板２の絞り開口部２０の内周面２４と接触し、この状態で五徳４を回動させると固定ピン４３が段押し部２２の孔部２３に誘導される。よって、五徳４に隠れて天板２の孔部２３が見えなくなっても五徳４の天板２に対する正しい取付けを容易に行うことができる。また、汁受け皿３が誤セットされていると、ガイドピン４３が押し上げられるので、汁受け皿３の誤セットをも発見できる。【選択図】　図３
2004028377.tif 000002
【特許請求の範囲】
【請求項１】
五徳の下部に下方に突出する固定ピンが設けられ、天板のガスバーナが臨む絞り開口部の周縁に孔部または凹部からなる係合部に該固定ピンを嵌め込んでガスバーナに対して該五徳を位置決めさせて取付けるガスコンロの五徳取付け構造であって、
上記五徳の下部には、上記固定ピンよりも下方に長く突出したガイドピンが設けられ、
該ガイドピンは、上記五徳セット時に上記絞り開口部の内周面または上記絞り開口部に支持された汁受け皿の内周面と接触し、上記固定ピンを上記係合部に案内させる配置構成としたことを特徴とするガスコンロの五徳取付け構造。
【請求項２】
請求項１に記載のガスコンロの五徳取付け構造において、
上記五徳の固定ピンは、１個または２個設けられていることを特徴とするガスコンロの五徳取付け構造。
【発明の詳細な説明】
【０００１】
【発明の属する技術分野】
本発明は、ガスコンロの五徳取付け構造に関し、特に五徳の下部の固定ピンが天板の係合部に容易に誘導されるようにしたものである。
【０００２】
【従来の技術】
従来、ガスコンロの五徳は、ガスバーナに対して位置決めさせて取付けられるものがある。この五徳取付け構造としては、例えば、特開平６−２８５０７号公報に記載のものがある。図６に示すように、この五徳４００は、板状の五徳枠４４１に取付けた五徳爪４４２の下部に下方に突出する固定ピン４４３が設けられている。そして、ガスコンロの天板２には、ガスバーナＢが臨む絞り開口部２０の周縁に孔部２３が設けられ、この孔部２３に上記固定ピン４４３を嵌め込んで五徳４００が取付けられる。これによって、五徳４００をガスバーナＢに対して位置決め状態にして天板に取付けることができる。
【０００３】
【発明が解決しようとする課題】
しかしながら、上記五徳４００の天板２へのセット時に、天板２の孔部２３と五徳下部の固定ピン４４３が板状の五徳枠４４１に隠されて見えない状態となるため、固定ピン４４３を孔部２３に誘導させ難く、五徳４００の天板２へのセットが非常にやり辛かった。
【０００４】
また、五徳４００が天板２にセットされてしまうと、この五徳４００によって下の汁受け皿３のセット状態も隠れてしまうため、汁受け皿３が絞り開口部２０に傾いた状態で不正にセットされていても全く気付かれない。この状態では、調理鍋等から煮こぼれ等すると、汁受け皿３と絞り開口部２０とのすき間からコンロ本体内部に煮汁等が浸入してしまう不具合が起こる。
【０００５】
本発明は、上記事情に鑑みてなされたものであり、天板に対して五徳を容易に且つ確実に取付けられるようにし、しかも汁受け皿の誤セットをも同時に発見できるガスコンロの五徳取付け構造を実現するものである。
【０００６】
【課題を解決するための手段】
（１）本発明の請求項１に係るガスコンロの五徳取付け構造は、
五徳の下部に下方に突出する固定ピンが設けられ、天板のガスバーナが臨む絞り開口部の周縁に孔部または凹部からなる係合部に該固定ピンを嵌め込んでガスバーナに対して該五徳を位置決めさせて取付けるガスコンロの五徳取付け構造であって、
上記五徳の下部には、上記固定ピンよりも下方に長く突出したガイドピンが設けられ、
該ガイドピンは、上記五徳セット時に上記絞り開口部の内周面または上記絞り開口部に支持された汁受け皿の内周面と接触し、上記固定ピンを上記係合部に案内させる配置構成としたことを特徴とするものである。
【０００７】
これによると、上記ガイドピンが上記絞り開口部の内周面または上記絞り開口部に支持された汁受け皿の内周面と接触されるので、五徳の中心を上記絞り開口部の中心と略一致させて配置させることが容易にできる。このガイドピンによる五徳配置状態で五徳を所定範囲に動かすと、固定ピンが上記係合部に確実に誘導されて係合部に固定ピンが嵌り込む。これによって、五徳がガスバーナに対して位置決めされて取付けられる。従って、五徳セット時に該五徳に隠れて天板の係合部が見えなくなっても、該五徳の天板に対する正しい取付けを容易に行うことができる。
【０００８】
しかも、上記ガイドピンは、上記固定ピンよりも下方に長く突出するので、汁受け皿が天板の絞り開口部に正しくセットされず傾いていた場合は、この傾いた汁受け皿によってガイドピンが押し上げられ、五徳を浮き上がらせてしまう。この状態では、上記固定ピンが上記係合部に嵌り込まないため、上記ガイドピンによって汁受け皿の誤セットを発見することができる。従って、汁受け皿が誤セットされたまま五徳がその上方に取付けられることも防止できる。
【０００９】
（２）また、本発明の請求項２に係るガスコンロの五徳取付け構造は、上記ガスコンロの五徳取付け構造（請求項１）において、
上記五徳の固定ピンは、１個または２個設けられていることを特徴とするものである。
【００１０】
これによると、上記固定ピンは、五徳に１個または２個しか設けられないので、五徳は、固定ピンが係合部に嵌り込むまで天板上で安定されずガタついた状態となる。従って、固定ピンが係合部に嵌り込まない状態のままで五徳が天板にセットされ放置されることも防止できる。
【００１１】
そして、例えば、ガスコンロの前面側に立って五徳を指で摘んで天板の絞り開口部にセットするに際し、予め１個または２個の固定ピン位置を確認しこの固定ピン付近を指で摘んでセットすると上記固定ピンを係合部付近に自然に配置させることができる。このガイドピンによる五徳の配置後に、該五徳を小幅に動かすだけで固定ピンが係合部に簡単に誘導されて嵌り込む。従って、五徳セット時に該五徳に隠れて天板の係合部が見えなくなっても、該五徳の天板に対する正しい取付けを自然な五徳セット動作の中で行えるから、五徳の正しい取付けを一層容易に行うことができる。
【００１２】
【発明の効果】
（１）請求項１に係るガスコンロの五徳取付け構造によれば、上記ガイドピンが上記絞り開口部の内周面または上記絞り開口部に支持された汁受け皿の内周面と接触されるので、五徳セット時に固定ピンを係合部に確実に誘導できるから、五徳セット時に該五徳に隠れて天板の係合部が見えなくなっても、該五徳の天板に対する正しい取付けを容易に行うことができる。しかも、汁受け皿が誤セットされた状態では、上記ガイドピンによって五徳が浮き上がり汁受け皿の誤セットを容易に発見できるので、汁受け皿が誤セットされたまま五徳がその上方に取付けられることも防止できる。
【００１３】
（２）また、請求項２に係るガスコンロの五徳取付け構造によれば、上記五徳の固定ピンは、１個または２個設けられるようにしたので、固定ピンが係合部に嵌り込まない状態のままで五徳が天板にセットされ放置されることも防止できる。しかも、五徳セット時に１個または２個の固定ピン位置を予め確認しておけば該五徳に隠れて天板の係合部が見えなくなっても、該五徳の天板に対する正しい取付けを自然な五徳セット動作の中で行えるから、五徳の正しい取付けを一層容易に行うことができる。
【００１４】
【発明の実施の形態】
以下に、本発明の実施の形態について図面を参照しながら説明する。
なお、実施の形態では、システムキッチン等のカウンタートップにドロップイン形式に取付けたガスコンロを例に挙げて説明するが、本発明は、このようなドロップイン形式以外の据え置きタイプにおいても適用可能である。
【００１５】
図１は、ガスコンロの断面図を示し、図２は、このガスコンロの上面図を示し、図３は、五徳の取付け構造の部分拡大図を示す。なお、図１は、図２のＩ−Ｉ断面である。
【００１６】
図１に示すように、このガスコンロＧＣは、カウンタートップＣＴの開口１０にコンロ本体１の上部フランジ１１を支承させ、上面をカウンタートップＣＴと略フラットとなるように配置される。なお、コンロ本体１の前面には、ガスバーナＢの点火スイッチ１３や火力調節レバー１２が配置されている。コンロ本体１の上面には、天板２が取付けられている。
【００１７】
この天板２は、コンロ本体１内のガスバーナＢが臨むように円形の絞り開口部２０が設けられている。この絞り開口部２０は、ガスコンロＧＣに備えるガスバーナＢの数に合せて設けられ、図２に示すように、本例のものでは前側の２口、後側にこれらより小さい１口の合計３つ設けられている。これら絞り開口部２０の形成個所がこのガスコンロＧＣのコンロ部となる。なお、図２中、前側右のコンロ部には、鍋底温度の検知センサＳが設けられており、また、後方の小さいコンロ部の後側にはグリル部の排気口Ｈが設けられている。そして、上記絞り開口部２０には、底部フランジ２１に汁受け皿３が支承されると共に、周縁の隆起させた段押し部２２に丸型の五徳が取付けられる。
【００１８】
上記段押し部２２は、天板２の前後方向における絞り開口部２０の中心を通る直線上に対向配置させた２つの孔部２３（係合部）が設けられている（図２を参照）。そして、これら孔部２３と対応して段押し部２２の外側に孔部２３位置を示すマークＭが天板２上に付されている。なお、このマークＭは、天板２を隆起させて形成するが、シールや印刷等で天板２上に付したもの等でもよい。
【００１９】
一方、上記丸型の五徳４は、テーパ面を有したドーナツ状の五徳枠４１に調理鍋等が載置される五徳ツメ４２が設けられたものである。なお、この五徳ツメ４２は、上記五徳枠４１に６つ設けられているが、３つ以上設けられていればよく、ツメの数に限定されない。６つの五徳ツメ４２のうち対向する２つの五徳ツメ４２，４２の下部には、図３に示すように、下方に突出する固定ピン４３が設けられている。この固定ピン４３が天板の段押し部２２の２つの孔部２３に嵌り込むことによって、この五徳４が天板２に取付けられる。これによって、この丸型の五徳４がガスバーナＢに対して位置決めされる。すなわち、ガスバーナＢの大炎口からの炎が五徳ツメ４２に当たらないよう小炎口に五徳ツメ４２が配置されるように位置決めさせて、調理鍋等に対するガスバーナＢの熱効率を最大限引出せるようにしている。
【００２０】
また、上記五徳４は、上記固定ピン４３を設けた２つの五徳ツメ４２の下部に上記固定ピン４３よりも下方に長く突出したガイドピン４４が設けられている。このガイドピン４４の長さは、上記固定ピン４３が上記孔部２３に完全に嵌め込まれた状態で、ガイドピン４４の先端が汁受け皿３の外周フランジ３１と接触寸前か、接触する状態となる長さであると、より誤セットを発見しやすくなる。なお、図３に示すものは、ガイドピン４４の先端が汁受け皿３の外周フランジ３１と接触寸前の状態にある。
【００２１】
また、このガイドピン４４は、上記固定ピン４３よりも内側に配置され、この五徳４のセット時に上記絞り開口部２０の内周面２４（図３を参照。）と接触される構成にしている。
そして、上記丸型五徳４を天板２にセットするには、殆どの場合、ガスコンロの前面側に立って次のように行われる。
【００２２】
まず、予め五徳４の固定ピン４３位置を確認し、固定ピン４３を設けた五徳ツメ４２を指で摘んで天板２の絞り開口部２０にセットさせる。すると、上記２つのガイドピン４４が上記絞り開口部２０の内周面２４と接触されるので、この丸型の五徳４の中心が上記絞り開口部２０の中心と自然に略一致して配置される。同時に、固定ピン４３が段押し部２２の孔部２３付近に自然に配置される。
【００２３】
この後、上記段押し部２２の外側に付されたマークＭを目安にして五徳４を小幅に左右に回動させるだけで固定ピン４３が孔部２３に簡単に誘導されて嵌り込む。従って、この五徳セット時に五徳枠４１に隠れて天板２の孔部２３が見えなくなっても、この丸型五徳４の天板２に対する正しい取付けを自然な五徳セット動作の流れの中で容易に行うことができる。
【００２４】
また、上記ガイドピン４４は、上記固定ピン４３よりも下方に長く突出するので、図４に示すように、汁受け皿３が天板２の絞り開口部２０に正しくセットされず傾いていた場合は、この傾いた汁受け皿３の外周フランジ３１によってガイドピン４４が押し上げられ、五徳４を浮き上がらせてしまう。この状態では、ガイドピン４４が汁受け皿３の外周フランジ３１に当たって上記固定ピン４３が上記孔部２３には完全に嵌入できないため、上記ガイドピン４４によって汁受け皿３の誤セットを容易に発見することができる。すなわち、汁受け皿３が絞り開口部２０に正しくセットされた状態で、上述のようにガイドピン４４の先端が汁受け皿３の外周フランジ３１と接触寸前か、接触する状態となるようにガイドピン４４の長さが設定されているからである。従って、汁受け皿３が誤セットされたまま五徳４がその上方に取付けられることも防止できる。
【００２５】
また、上記固定ピン４３は、上記五徳４に２個設けられるので、五徳４は、固定ピン４３が孔部２３に嵌り込むまで天板２上で安定されずガタついた状態となる。つまり、固定ピン４３は、天板２の段押し部２２上に乗り上げた状態にあって、五徳４が２個の固定ピン４３による２点で不安定に支えられることとなるからである。なお、固定ピン４３は、この２点支持される状態を確保できる位置であれば特に限定されない。但し、本実施の形態の場合のように、２個の上記固定ピン４３がこの丸型五徳４の中心を通る直線上に対向配置されているとき、固定ピン４３が孔部２３に嵌り込むまでの五徳４のガタつきは、２個の固定ピン４３がこのような中心を通る直線上に対向配置されていない場合と比して最も大きくガタつき、五徳４の誤セット状態が一層はっきり確認できる。従って、固定ピン４３が孔部２３に嵌り込まない状態のままで五徳４が天板２上にセットされ放置されることも防止できる。
【００２６】
以上のように、本実施の形態のものによれば、天板２に対して五徳４を容易に且つ確実に取付けられ、しかも汁受け皿３の誤セットをも同時に発見することができる。
【００２７】
なお、本発明は、上記実施の形態のものに限定されず、例えば、上記ガイドピン４４は、天板２の絞り開口部２０の内周面２４と当接されるが、図５に示すガイドピン４５のように、汁受け皿３の内周面３２と当接されるような配置構成とした五徳４’としてもよい。なお、この場合でも、汁受け皿３が絞り開口部２０に傾いてセットされていれば、ガイドピン４５が押し上げられて五徳４’を浮き上がらせてしまうため、汁受け皿３の誤セットをも容易に発見することができる。
【００２８】
また、上記段押し部２２に孔部２３を設けるようにするが、上記固定ピン４３を嵌入可能な凹部からなる係合部としてもよい。上記孔部２３に代えて凹部とすることで段押し部２２にはコンロ本体１内部と貫通する孔がなくなるので、調理鍋等の煮こぼれした煮汁が段押し部２２にこぼれてもその煮汁がコンロ本体１内に浸入することもない。
【００２９】
また、上記ガイドピン４４（図５に示すガイドピン４５も含む。以下同様。）は、固定ピン４３を設けた五徳ツメ４２以外の五徳ツメ４２に設けるようにしてもよいし、五徳枠４１に設けるようにしてもよい。上記固定ピン４３も五徳枠４１に設けるようにしてもよい。
【００３０】
また、上記固定ピン４３は、２つ設けるが、１つでもよい。この場合も、五徳４は、固定ピン４３が孔部２３に嵌入されない状態では天板２上で安定されずガタついた状態となるため、五徳４の誤セットを容易に発見することができる。すなわち、上記固定ピン４３を３つ以上としない限り、固定ピン４３が孔部２３に嵌入されない状態では上記固定ピン４３によって天板２上（段押し部２２上）に安定して載せられることがないからである。
【００３１】
また、上記固定ピン４３が嵌り込む２つの上記孔部２３（係合部）は、天板２の前後方向、左右方向も含めて種々の方向における絞り開口部２０の中心を通る直線上に対向配置させるようにしてもよい。
【００３２】
また、五徳４の形状は、実施の形態では円形のものとするが、多角形のものでもよい。このとき、上記固定ピン４３を２つ設ける場合は五徳の中心を通る直線上付近に対向配置させてもよい。
また、上記ガイドピン４４は、２つ以上設けるようにしてもよい。
【図面の簡単な説明】
【図１】本発明の実施の形態によるガスコンロの五徳取付け構造を採用したガスコンロを示した断面図である。
【図２】本発明の実施の形態によるガスコンロの五徳取付け構造を採用したガスコンロを示した上面図である。
【図３】本発明の実施の形態によるガスコンロの五徳取付け構造を示した部分拡大図である。
【図４】汁受け皿が誤セットされていたときの五徳の状態を示した部分拡大図である。
【図５】ガイドピン位置の変形例を示した部分拡大図である。
【図６】従来のガスコンロの五徳取付け構造を示した部分拡大図である。
【符号の説明】
１　コンロ本体
２　天板
３　汁受け皿
４　五徳
２０　絞り開口部
２２　段押し部
２３　孔部（係合部）
２４　絞り開口部の内周面
３１　汁受け皿の外周フランジ
３２　汁受け皿の内周面
４１　五徳枠
４２　五徳ツメ
４３　固定ピン
４４，４５　ガイドピン
Ｂ　ガスバーナ
【図１】
2004028377.tif 000003
【図２】
2004028377.tif 000004
【図３】
2004028377.tif 000005
【図４】
2004028377.tif 000006
【図５】
2004028377.tif 000007
【図６】
2004028377.tif 000008